(57)【要約】本発明は、受信機の出力音声レベルが基準レベルに到達するとき、電気又は電子デバイスを遠隔制御することができる赤子監視装置の回路部品の受信機に組み込む赤子監視システムを開示する。その制御は、電気又は電子デバイスへの音量制御コマンドの赤外、無線周波数、又は配線の送信によってできる。この制御システムを赤子監視装置に組み込むことによって、親は、赤子の音声を聞くことが保証される。
2004514229.tif 000002
【特許請求の範囲】
【請求項１】
音声を検出し前記検出される音声を送信する音声検出デバイスを含む送信機、並びに
前記検出される音声を受信し前記検出される音声を出力するスピーカー、及び少なくとも一つのデバイスの音量レベルを制御する制御手段、を含む受信機、を含み、
前記少なくとも一つのデバイスは、少なくとも一つのスピーカーを有する前記受信機から離れている赤子監視システム。
【請求項２】
前記受信機は、前記検出される音声のレベルを基準レベルと比較する手段を含み、
前記制御手段は、前記検出される音声の前記レベルが前記基準レベルよりも大きいとき、離れた前記離れたデバイスを制御することに有効である請求項１記載の赤子監視システム。
【請求項３】
前記制御手段は、前記少なくとも一つのデバイスの前記音量を減少させることに有効である請求項１記載の赤子監視システム。
【請求項４】
前記制御手段は、前記少なくとも一つのデバイスの前記音量を消すことに有効である請求項１記載の赤子監視システム。
【請求項５】
前記制御手段は、前記少なくとも一つのデバイスへの電力を切断することに有効である請求項１記載の赤子監視システム。
【請求項６】
前記受信機から離れた少なくとも一つのデバイスへ制御コマンドを送信する第二の送信機を含む請求項１記載の赤子監視システム。
【請求項７】
前記制御コマンドは、音量を減少させる、音量を消す、及び電力を切断するコマンドの一つである請求項６記載の赤子監視システム。
【請求項８】
前記第二の送信機は、赤外送信機、無線周波数送信機、および配線接続の一つである請求項７記載の赤子監視システム。
【請求項９】
前記受信機は、前記離れたデバイスの遠隔制御から前記コマンドの信号を受信しメモリに前記コマンドの信号を記憶する第二の受信機を含む請求項７記載の赤子監視システム。
【請求項１０】
システム、前記受信機は、
送信機によって検出され送信される音声を受信し前記検出される音声を出力するスピーカー、及び
少なくとも一つのスピーカーを有する前記受信機から離れた少なくとも一つのデバイスの音量レベルを制御する制御手段、を含む、請求項１記載の赤子監視システムにおける使用のための赤子監視装置の受信機。
【請求項１１】
赤子からの音声を検出するステップと、
送信機から受信機へ前記音声を送信するステップと、
前記受信機から前記音声を出力するステップと、
前記受信機から離れた少なくとも一つのデバイスの音量レベルを制御するステップと、を含む赤子を監視する方法。
【発明の詳細な説明】
【０００１】
［発明の背景］
［発明の技術分野］
本発明は、赤子監視装置、より詳しくは、他のデバイスを制御することが可能な赤子監視装置に関する。赤子監視装置は、テレビジョン又は他の電子デバイスの音を消すことが可能である。
【０００２】
［関連技術の説明］
赤子監視装置は、周知である。標準的な赤子監視装置は、送信機及び受信機からなり、それぞれに、電池又は（通常直線に並んだ変圧器を備えた）Ａ／Ｃ電流源によって電力供給することができ。送信機は、マイクロホン又は他の音声検出デバイスを含み、赤子の近くの場所に置かれる。受信機は、スピーカーを含み、親の近くの場所に置かれる。送信機によって検出される音声（例えば、興奮する又は泣き叫ぶ赤子）は、それに応じて聞いて応答する親への出力用の受信機に送信される。
【０００３】
この標準的なモデルのいくつかのバージョンが存在する。一つは、複数の発光ダイオード（ＬＥＤ）を含み、その光は、受信機によって受信される音声のレベルを連続して示すこと。これは、音声レベルが増加すると輝くＬＥＤの数もまた増加するという点で、親に対する視覚的な警報としての機能を果たす。追加の警報として、実質的に輝いた又はより高い音声レベルのＬＥＤの色は、より低い音声レベルのＬＥＤとは異なる色である（それぞれ、通常、赤及び緑）。この視覚的な警報は、受信機の出力を親に聞こえなくさせる場合もある他の雑音がある環境において有用である。これらの他の雑音は、スピーカーから音声を出力する、テレビジョン、ラジオ、ステレオ、又は他の電子デバイスからの音声であり得る。また、これらの外部雑音は、雑音を発生する電気器具、例えば電気ミキサー、混合機、洗濯機などからもあり得る。
【０００４】
上記モデルの何れかにおいて、外部雑音が、赤子監視装置の受信機の出力のものよりも大きいとすれば、赤子の音声は、親に聞こえなくなり得る。及び、ＬＥＤモデルに伴う問題は、外部雑音が存在すると共に受信機が親の視線の外にあるとき、特に発生する。この場合に、聞こえなくなる音声と共に、視覚的な警報は、見えなくなる。このように、何れかの場合において、赤子は、泣き叫んでいるかもしれず、親は、このもしかすると危険な状況に気づかないかもしれない。
【０００５】
本発明は、この長年の問題を解決し、親が様々な外部雑音の条件の下で音声を聞くことを保証し得る赤子監視装置を提供する。
【０００６】
［発明の要約］
本発明の一つの態様は、他の電子デバイスの音量レベルを制御することができる赤子監視装置の受信機を提供することである。
【０００７】
本発明の別の態様は、音声レベルを検出すると共に、予め決められた即ちユーザー設定レベルに到達することで、別の電子デバイスの音量を減少させる又は消す制御回路部品を赤子監視装置の受信機に組み込むことである。
【０００８】
本発明のさらに別の態様は、本発明にＡ／Ｃ制御モジュールを組み込むことによって、どんな電気雑音を発生するデバイスも制御することである。
【０００９】
本発明のこれら及び他の態様を、受信機の出力音声レベルが基準レベルに到達するとき電気又は電子デバイスを遠隔制御することができるシステムを赤子監視装置の受信機に組み込むことによって、達成することができる。その制御は、電気又は電子デバイスへの音量制御コマンドの赤外、無線周波数、又は配線の送信によってできる。赤子監視装置にこの制御システムを組み込むことによって、親は、赤子の音声を聞くことを保証される。
【００１０】
より一般には、本発明は、音声検出器、音声を検出する前記検出器に信号の送信するための音声検出器に連結された送信機、及び、信号を受信すると共に制御デバイスから離れた少なくとも一つのデバイスに制御信号を供給する制御デバイスを含む監視システムを含む。ネットワークを、送信機と制御デバイスとの間に挿入することができ、ここでネットワークは、インターネットであり得る。
【００１１】
また、本発明は、音声を検出するステップ、前記音声を検出することで信号を送信するステップ、及び前記送信される信号を介して少なくとも一つのデバイスを制御するステップを含む、場所を監視する方法を含む。
【００１２】
また、本発明は、ユーザーが場所を監視することを可能とする方法を含む。音声を検出し、前記音声を検出することで信号を前記ユーザーに送信し、前記送信される信号を介して少なくとも一つのデバイスを制御することによって、ユーザーは、場所を監視することができる。
【００１３】
本発明は、音声検出器から受信される可聴信号を処理すると共にホームネットワークから離れた少なくとも一つのデバイスの制御するためのホームネットワーク用ソフトウェアをさらに含む。
【００１４】
［発明の詳細な説明］
本発明の上記及び他の態様、特徴、及び利点は、添付する図面と共に理解するとき、以下の詳細な説明からより明白になると思われる。
【００１５】
本発明の好適な実施例を、添付の図面を参照して、以下に記載することにする。以下の記載において、周知の機能又は構成を、それらが本発明を不必要に詳細に不明瞭にするかもしれないので、詳細には記載しない。
【００１６】
図１に描くように、赤子監視装置の受信機１００の好適な実施例は、本体１０４及びアンテナ１０５を含む。本体１０４に組み込まれるのは、内部のスピーカー（示してない）からの音声出力が本体１０４を通過することを可能にするスピーカーグレーティング１０１である。受信機への電力及び受信機の音量を制御するためのオン／オフ−音量可変抵抗器ダイヤル１０２は、本体１０４の側面に位置する。受信機１００の“パワーオン”状態を示すための電力指示器の光１０６は、本体１０４の正面に位置決めされる。受信機の内部の回路部品（示してない）へ及び受信機の内部の回路部品からＩＲ信号を送信することを可能にする、赤外（ＩＲ）窓１０３は、本体１０４の正面に位置する。
【００１７】
図２は、図１における赤子監視装置の受信機１００の側面図である。図２に描かくのは、スライドスイッチ２０１である。スライドスイッチ２０１は、好ましくは二位スライドスイッチである。スライドスイッチ２０１の第一の位置は、監視装置を正常動作モードに置き、スライドスイッチ２０１の第二の位置は、監視装置を学習するモードに置く。学習するモードにおけるとき、本発明の一つの実施例による監視装置を、以下に記載するように個々の電気又は電子デバイスを制御するためにプログラムすることができる。
【００１８】
図３は、本発明の実施例による赤子監視システムのブロック図である。図３を参照すると、システムは、親３１３が赤子３０３を監視することを可能にし、送信機３００、受信機１００、及びここではテレビジョン３１０として示す、制御される離れたデバイスを含み、その動作は、次のようなものである。送信機３００は、音声が送信機本体３０４を通じて送信機３００内部のマイクロホン又は他の音声検出デバイス（示してない）へ通過することを可能にするための音声グレーティング３０１、送信機への電力を制御するためのオン／オフスイッチ３０２、アンテナ３０５、及び電力指示器の光３０６を含む。赤子３０３が音声３０７を発するとき、送信機３００の内部のマイクロホン（示してない）は、音声３０７を検出し、アンテナ３０５を通じてそれを送信する。受信機１００は、それが処理されるアンテナ１０５を通じて音声を受信する。音声３０８は、スピーカーグレーティング１０１を通じた受信機１００の内部のスピーカー（示してない）を通じて出力される。テレビジョン３１０からの雑音３０９の出力が、受信機１００からの音声３０８の出力よりも高いレベルにあるとすれば、親３１３は、それを聞かないことになり、赤子３０３の泣き声に気づかないと思われる。
【００１９】
また、受信された音声は、図４に関して以下に詳細に記載する、受信機１００の内部における制御回路部品によっても処理される。記憶された基準レベルよりも大きい音声レベルを検出することで、受信機１００は、窓１０３を通じてＩＲコマンド信号を送信する。ＩＲコマンドは、ＩＲ窓３１１を通じてテレビジョン３１０によって受信され、ここでテレビジョン３１０の内部の回路部品は、コマンド信号を処理し、テレビジョン３１０のスピーカー３１２から来る音声３０９を消し、このようにして親３１３に警報を出し、親３１３が受信機１００の出力音声３０８を聞くことを可能にする。
【００２０】
図４は、本発明の実施例による赤子監視装置の受信機１００のブロック図である。図４に示すように、赤子監視装置の受信機は、ＲＦ受信機４０２に接続されたアンテナ１０５を含む。送信機３００（示してない）は、音声３０７を検出し、赤子監視装置の受信機１００に音声を送信する。送信機３００から送信された信号は、アンテナ１０５によって受信され、ＲＦ受信機４０２によって処理される。ＲＦ受信機は、スピーカー４０４に接続される。音声３０９は、スピーカー４０４を通じて出力される。
【００２１】
また、アンテナ１０５で受信された信号は、回路部品４０３を制御するために転送される。スライドスイッチ２０１が正常動作モード（例えば位置１）にあるとき、制御回路部品４０３の中央処理装置（ＣＰＵ）４０７は、受信された信号のレベルを、事前設定するか又はユーザー設定することができるメモリユニット４０８に記憶された基準レベルと比較する。受信された信号が基準レベルよりも少ないとすれば、音声３０９がスピーカー４０４を通じて出力されると同時に、制御回路部品４０３は、何もせず、受信される信号を監視し続ける。受信された信号が基準レベルよりも大きいとすれば、ＣＰＵ４０３は、メモリユニット４０８に記憶された消音コマンド信号をコマンド回路部品４０９へ送り、そのコマンド回路部品は、ＩＲエミッター４０５を動作させ、次にそのＩＲエミッターは、ラジオ、ステレオなど、又は図４のテレビジョン３１０のような電子デバイスにＩＲ信号を出力する。
【００２２】
消音コマンドを送信するためにＩＲ技術を使用する好適な実施例において、視線は、送信機と電子デバイスとの間に維持される。別の実施例において、ＲＦ信号を、消音コマンドを送信するために使用して、よってサイトの線の制限を除去することができるかもしれない。及び、さらに別の実施例において、送信機を、電子デバイスに配線する、又は更に電子デバイス自体に組み込むことができる。
【００２３】
また、コマンド信号は、それが任意の数の他のコマンド、例えば“オフ”コマンド、個々の音量レベルコマンド、又はデバイスからの出力音声を減少する若しくは除去するための他のコマンド、であり得るので、消音コマンドに制限される必要がない。また本発明は、電気器具用のＡ／Ｃ電流と直線に並んで置かれる個別の電子デバイスに組み込むこともできる。赤子監視装置の受信機は、“オフ”コマンドを送信するかもしれず、“オフ”コマンドの受信で、電子デバイスは、その器具への電力を切断し、それによって発生する雑音を除去するかもしれない。
【００２４】
再び図４を参照して、スライドスイッチ２０１が学習するモード（例えば位置２）にあるとき、制御回路部品４０３は、特に制御されることが要求される電子デバイスへの消音コマンドコードを記憶するか又はプログラムするための学習するモードに入る。制御回路部品４０３は、本発明の個々の実施例に依存する一つ又はそれ以上のコマンドを記憶するためのメモリユニット４０８を含む。メモリユニット４０８を、個々の電子デバイスを制御するために予めプログラムすることができ、学習するモードとしてスライドスイッチ２０１を要求しないかもしれない実施例は、ユーザーに要求されるかもしれない。また、メモリユニット４０８は、一つ又はそれ以上のコマンドの記憶装置を可能にするために、一つ又はそれ以上のデバイスを制御するために、ユーザーがプログラム可能であり得る。
【００２５】
スライドスイッチ２０１を位置１から位置２まで動かすとき、監視装置１００は、学習するモードに入る。ＣＰＵ４０７は、ＩＲ検出器４０６を通じてコマンド入力を受信するための学習回路部品４１０を作動させる。記憶されるか又は学習されるコマンドは、離れたデバイス（示してない）の遠隔制御のＩＲエミッターをＩＲ検出器４０６に向けて、ユーザーが監視装置に記憶させることを望むコマンドに対応するボタンを遠隔制御で押すことによって入力される。ＣＰＵ４０７は、学習回路部品４１０からコマンド信号を受け入れ、メモリユニット４０８にそのコマンドを記憶する。様々な追加のプログラミング方法は、当技術において周知であり、ここには含まれない。
【００２６】
図５は、本発明の実施例による赤子監視装置の受信機における動作のフローチャートである。赤子監視装置の受信機１００の電力を与えるとき、ステップ５０１においてＣＰＵ４０７は、受信機が正常動作モードにあるかどうかを決定することを確認する。受信機１００が正常動作モードにあるとすれば、ステップ５０２においてシステムは、信号が送信機３００から受信されるのを待つ。信号を受信しないとすれば、システムは、受信される信号を待つために開始に戻る。信号を受信するとすれば、ステップ５０３においてシステムは、スピーカー４０４を通じて音声を出力し、ＣＰＵ４０７は、受信された信号のレベルをメモリユニット４０８に記憶された基準レベルと比較する。次にステップ５０４において、ＣＰＵ４０７は、受信された信号のレベルが基準レベルよりも大きいかどうかを決定する。受信された信号のレベルが基準レベルよりも大きくないとすれば、システムは、ステップ５０１に戻る。受信された信号のレベルが基準レベルよりも大きいとすれば、ステップ５０５において制御回路部品４０３は、コマンド回路部品４０９及びＩＲエミッター４０５を通じて、記憶されたＩＲ消音コマンドを送信し、ステップ５０１に戻る。
【００２７】
ステップ５０１において受信機が正常動作モードにないことをＣＰＵ４０７が決定するとすれば、ステップ５０６においてＣＰＵ４０７は、ユーザに入力されるコマンドを記憶するために、学習するモードに入る。ステップ５０７において、ＣＰＵ４０７は、ＩＲ検出器４０６を作動させる。次にステップ５８においてシステムは、ＩＲ信号コマンドが受信されるかどうかを確認し、そうであるとすれば、ステップ５０９においてシステムは、メモリユニット４０８にＩＲ信号コマンドを記憶し、ステップ５０１に戻る。信号コマンドがステップ５０８において受信されないとすれば、システムは、ステップ５０１に戻る。
【００２８】
本発明の範囲内に含まれる上述のシステムに対するいくつかの変形もまた実施することができる。第一に、上記のシステムを、赤子以外の人々及び物事を監視するために使用することができる。本発明を、病気又は虚弱である人を監視するために利用することができる。また、動物又は音声を生ずるときユーザーへの警報が望まれる任意の対象を監視するためにシステムを容易に修飾することができる。
【００２９】
本発明に対する別の修飾は、送信機に関する。上述の実施例において受信機が受信された音声を記憶された基準信号と比較する場合において、送信機が、その比較を行い、制御されるデバイスに直接又はさらなる送信のための受信機に、制御信号自体を送信することができる。また、信号（音声信号及び／又は中央信号）を、受信機と制御されるデバイスとの間の任意の点に挿入してもよい（ホームコンピューターネットワークを含む）コンピューターネットワーク、インターネットなどを介して送信することができる。ソフトウェアを、例えば、送信機及び／又は受信機のオーディオ及び／又は信号処理を行い、よってそれらを管理するために、ネットワーク中で使用することができる。
【００３０】
制御されるデバイス自体に関しては、本発明は、その音量を減少させる又は消すことに制限されない。例えば、ユーザーが、騒々しい環境に位置するとき、システムは、環境における雑音レベルを検出し、それに従って可聴信号、例えば電話の響きを、ユーザーが環境における雑音レベルに関らず可聴信号を聞くことができるように、増幅することができる。
【００３１】
本発明をそれのある好適な実施例を参照して示し記載してきた一方で、形態及び詳細における様々な変化を、本発明の主旨及び添付する請求項によって定義されるような範囲から逸脱することなくその中に生じさせてもよいことは、当業者に理解されると思われる。
【図面の簡単な説明】
【図１】
本発明の実施例による赤子監視装置の受信機の正面図である。
【図２】
本発明の実施例による図１に描く赤子監視装置の受信機の側面図である。
【図３】
本発明の実施例による赤子監視システムのブロック図である。
【図４】
本発明の実施例による赤子監視装置の受信機のブロック図である。
【図５】
本発明の実施例による赤子監視装置の受信機における動作のフローチャートである。
【図４】
2004514229.tif 000003
【図５】
2004514229.tif 000004
【国際公開パンフレット】
2004514229.tif 000005
2004514229.tif 000006
2004514229.tif 000007
2004514229.tif 000008
2004514229.tif 000009
2004514229.tif 000010
2004514229.tif 000011
2004514229.tif 000012
2004514229.tif 000013
2004514229.tif 000014
2004514229.tif 000015
2004514229.tif 000016
2004514229.tif 000017
2004514229.tif 000018
【国際公開パンフレット（コレクトバージョン）】
2004514229.tif 000019
2004514229.tif 000020
【国際調査報告】
2004514229.tif 000021
2004514229.tif 000022
2004514229.tif 000023